(57)【要約】【課題】長期間にわたりプロセスデータ入力機能と警報処理機能、表示処理機能を喪失することなしに、プラント監視システムの更新をする。【解決手段】プラント監視制御システムは、新設計算機２１０、ネットワーク１１を介し計算機２１０に接続する既設と新設のプロセス入出力盤１２０、２２０、現場機器３０からの各機器側情報信号を受信して、第１および第２の機器側情報信号に分配する中継端子盤３００を備える。第１の機器側情報信号は既設プロセス入出力盤１２０に、第２の機器側情報信号は新設プロセス入出力盤２２０に出力される。新設計算機２１０は、第１および第２のプロセス入出力盤２２０、１２０それぞれを経由して入力された第１の各機器側情報と第２の機器側情報とを比較することによって、経路構成が正しくなされていることを確認する。【選択図】図１
2013164656.tif 000002
【特許請求の範囲】
【請求項１】
既設計算機、および該既設計算機とネットワークで接続されかつ現場機器と接続される既設プロセス入出力盤を有するプラント監視制御システムの、前記既設計算機および前記既設プロセス入出力盤をそれぞれ新設計算機および新設プロセス入出力盤に更新する更新方法において、
前記現場機器と前記既設プロセス入出力盤との間に、機器側信号を同一内容の第１の機器側情報信号と第２の機器側情報信号とに分配する中継端子盤を設置する中継端子盤設置ステップと、
前記中継端子盤設置ステップの後に、前記中継端子盤と前記既設プロセス入出力盤との間、および前記中継端子盤と前記現場機器との間を接続し、前記中継端子盤を介して前記第１の機器側情報信号を前記既設プロセス入出力盤に送信可能とする第１の接続ステップと、
新設プロセス入出力盤を設置する入出力盤設置ステップと、
前記中継端子盤設置ステップおよび前記入出力盤設置ステップの後に、前記新設プロセス入出力盤の入力側と、前記中継端子盤の前記第２の機器側情報信号の出力側とを接続する第２の接続ステップと、
前記入出力盤設置ステップの後に、前記新設プロセス入出力盤の出力側を前記ネットワークと接続する第３の接続ステップと、
前記第１の接続ステップ、前記第２の接続ステップおよび前記第３の接続ステップの後に、前記既設計算機が、前記既設プロセス入出力盤を経由して入力される前記第１の機器側情報信号と、前記新設プロセス入出力盤を経由して入力される前記第２の機器側情報信号とを、相互に比較し、同一内容であることを確認する既設計算機確認ステップと、
新設計算機を設置して、前記新設計算機と前記ネットワークとを接続する計算機設置ステップと、
前記計算機設置ステップおよび前記既設計算機確認ステップの後に、前記新設計算機が、前記既設プロセス入出力盤を経由して入力される前記第１の機器側情報信号と、前記新設プロセス入出力盤を経由して入力される前記第２の機器側情報信号とを、相互に比較し、同一内容であることを確認する新設計算機確認ステップと、
前記新設計算機確認ステップの後に、前記既設計算機と前記ネットワーク間の接続を解除し、前記既設計算機を撤去する計算機撤去ステップと、
前記新設計算機確認ステップの後に、前記既設プロセス入出力盤と前記ネットワーク間の接続、および既設プロセス入出力盤と前記中継端子盤間の接続を解除し、前記既設プロセス入出力盤を撤去する既設入出力盤撤去ステップと、
を有することを特徴とするプラント監視制御システムの更新方法。
【請求項２】
既設計算機と、該既設計算機とネットワークで接続されかつ現場機器と接続される既設プロセス入出力盤と、前記既設プロセス入出力盤と複数の現場機器との間にあって複数の機器側信号を同一内容の第１の機器側情報信号と第２の機器側情報信号とに分配する中継端子盤とを有するプラント監視制御システムの、前記既設計算機および前記既設プロセス入出力盤をそれぞれ新設計算機および新設プロセス入出力盤に更新する更新方法において、
新設プロセス入出力盤を設置する入出力盤設置ステップと、
前記入出力盤設置ステップの後に、前記新設プロセス入出力盤の入力側と、前記中継端子盤の前記第２の機器側情報信号の出力側とを接続する第１の接続ステップと、
前記入出力盤設置ステップの後に、前記新設プロセス入出力盤の出力側を前記ネットワークと接続する第２の接続ステップと、
前記第１の接続ステップおよび前記第２の接続ステップの後に、前記既設計算機が、前記既設プロセス入出力盤を経由して入力される前記第１の機器側情報信号と、前記新設プロセス入出力盤を経由して入力される前記第２の機器側情報信号とを、相互に比較し、同一内容であることを確認する既設計算機確認ステップと、
新設計算機を設置して、前記新設計算機と前記ネットワークとを接続する計算機設置ステップと、
前記計算機設置ステップおよび前記既設計算機確認ステップの後に、前記新設計算機が、前記既設プロセス入出力盤を経由して入力される前記第１の機器側情報信号と、前記新設プロセス入出力盤を経由して入力される前記第２の機器側情報信号とを、相互に比較し、同一内容であることを確認する新設計算機確認ステップと、
前記新設計算機確認ステップの後に、前記既設計算機と前記ネットワーク間の接続を解除し、前記既設計算機を撤去する計算機撤去ステップと、
前記新設計算機確認ステップの後に、前記既設プロセス入出力盤と前記ネットワーク間の接続、および既設プロセス入出力盤と前記中継端子盤間の接続を解除し、前記既設プロセス入出力盤を撤去する既設入出力盤撤去ステップと、
を有することを特徴とするプラント監視制御システムの更新方法。
【請求項３】
計算機、および該計算機とネットワークで接続されかつ現場機器と接続されるプロセス入出力盤を有するプラント監視制御システムの、保守点検対象としての前記対象プロセス入出力盤の保守点検の保守方法において、
前記現場機器と前記対象プロセス入出力盤との間に、機器側信号を同一内容の第１の機器側情報信号と第２の機器側情報信号とに分配する中継端子盤を設置する中継端子盤設置ステップと、
前記中継端子盤設置ステップの後に、前記中継端子盤と前記対象プロセス入出力盤との間、および前記中継端子盤と現場機器との間を接続し、前記第１の機器側情報信号を前記対象プロセス入出力盤に送信可能とする第１の接続ステップと、
仮設プロセス入出力盤を設置する仮設設置ステップと、
前記第１の接続ステップと前記仮設設置ステップの後に、前記仮設プロセス入出力盤の入力側と、前記中継端子盤の前記第２の機器側情報信号の出力側とを接続する第２の接続ステップと、
前記仮設設置ステップの後に、前記仮設プロセス入出力盤の出力側を前記ネットワークと接続する第３の接続ステップと、
前記第１の接続ステップと前記第２の接続ステップと前記第３の接続ステップとの後に、前記計算機が、前記対象プロセス入出力盤を経由して入力される前記第１の機器側情報信号と、前記仮設プロセス入出力盤を経由して入力される前記第２の機器側情報信号とを、相互に比較し、同一内容であることを確認する保守前確認ステップと、
前記確認ステップの後に、前記対象プロセス入出力盤について、保守可能状態に設定し、保守作業を実施する保守ステップと、
前記保守ステップの後に、前記対象プロセス入出力盤を保守可能状態から復旧しインサービスする復帰ステップと、
前記復帰ステップの後に、前記計算機が、前記対象プロセス入出力盤を経由して入力される前記第１の機器側情報信号と、前記仮設プロセス入出力盤を経由して入力される前記第２の機器側情報信号とを、相互に比較し、同一内容であることを確認する保守後確認ステップと、
前記保守後確認ステップの後に、前記仮設プロセス入出力盤と前記ネットワーク間、および前記仮設プロセス入出力盤と前記中継端子盤間の接続を解除し、前記仮設プロセス入出力盤を撤去する撤去ステップと、
を有することを特徴とするプラント監視制御システムの保守方法。
【請求項４】
計算機、該計算機とネットワークで接続されかつ現場機器と接続されるプロセス入出力盤、および前記プロセス入出力盤と複数の現場機器との間にあって複数の機器側信号を同一内容の第１の機器側情報信号と第２の機器側情報信号とに分配する中継端子盤とを有するプラント監視制御システムの、保守点検対象としての前記対象プロセス入出力盤の保守点検の保守方法において、
仮設プロセス入出力盤を設置する仮設設置ステップと、
前記仮設設置ステップの後に、前記仮設プロセス入出力盤の入力側と、前記中継端子盤の前記第２の機器側情報信号の出力側とを接続する第１の接続ステップと、
前記仮設設置ステップの後に、前記仮設プロセス入出力盤の出力側を前記ネットワークと接続する第２の接続ステップと、
前記第１の接続ステップと前記第２の接続ステップの後に、前記計算機が、前記対象プロセス入出力盤を経由して入力される前記第１の機器側情報信号と、前記仮設プロセス入出力盤を経由して入力される前記第２の機器側情報信号とを、相互に比較し、同一内容であることを確認する保守前確認ステップと、
前記確認ステップの後に、前記対象プロセス入出力盤について、保守可能状態に設定し、保守作業を実施する保守ステップと、
前記保守ステップの後に、前記対象プロセス入出力盤を保守可能状態から復旧しインサービスする復帰ステップと、
前記復帰ステップの後に、前記計算機が、前記対象プロセス入出力盤を経由して入力される前記第１の機器側情報信号と、前記仮設プロセス入出力盤を経由して入力される前記第２の機器側情報信号とを、相互に比較し、同一内容であることを確認する保守後確認ステップと、
前記保守後確認ステップの後に、前記仮設プロセス入出力盤と前記ネットワーク間、および前記仮設プロセス入出力盤と前記中継端子盤間の接続を解除し、前記仮設プロセス入出力盤を撤去する撤去ステップと、
を有することを特徴とするプラント監視制御システムの保守方法。
【請求項５】
計算機と、
ネットワークを介して前記計算機に接続されたプロセス入出力盤と、
各現場機器と前記プロセス入出力盤との間に介在する中継端子盤と、
を備えたプラント監視制御システムにおいて、
前記中継端子盤は、
前記各現場機器との間での機器側情報信号を取り合うための現場機器ケーブル接続部と、
受信した前記機器側情報信号を同一内容の第１の機器側情報信号と第２の機器側情報信号とに分配する信号分配部と、
前記第１の機器側情報信号を前記プロセス入出力盤に出力するための第１のプロセス入出力盤との間の第１のＰＩＯ接続部と、
前記第２の機器側情報信号を取り出し可能な状態とするための外部との取り合い部と、
を有する、
ことを特徴とするプラント監視制御システム。
【請求項６】
計算機と、
ネットワークを介して前記計算機に接続された第１のプロセス入出力盤および第２のプロセス入出力盤と、
複数の現場機器と前記第１のプロセス入出力盤および第２のプロセス入出力盤との間に介在する中継端子盤と、
を備えるプラント監視制御システムであって、
前記計算機は、
前記第１の機器側情報信号および前記第２の機器側情報信号を受信するデータ受信部と、
前記第１の機器側情報信号と第２の機器側情報信号とを比較し演算結果を出力する比較演算部と、
前記比較演算部の演算結果を表示装置に出力する表示処理部と、
を有し、
前記中継端子盤は、前記現場機器からの機器側情報信号を受信し、前記機器側情報信号を同一内容の第１の機器側情報信号と第２の機器側情報信号とに分配し、前記第１の機器側情報信号を前記第１のプロセス入出力盤に出力するとともに、前記第２の機器側情報信号を前記第２のプロセス入出力盤に出力し、
前記計算機は、前記第１の機器側情報信号と前記第２の機器側情報信号と比較が可能である、
ことを特徴とするプラント監視制御システム。
【請求項７】
前記第１の機器側情報信号および前記第２の機器側情報信号を受信し、両者の比較が可能な複数の計算機が前記ネットワークに並列に接続されていることを特徴とする請求項６に記載のプラント監視制御システム。
【発明の詳細な説明】
【技術分野】
【０００１】
本発明は、原子力発電プラント等のプラント監視制御システムの更新方法、保守方法およびプラント監視制御システムに関する。
【背景技術】
【０００２】
プラント監視制御システムは、プロセスデータを入力するプロセス入出力盤と、警報処理・表示処理を行う計算機とを備える。
【０００３】
プロセス入出力盤は、コントローラおよびリレー等を有するプロセス入出力装置（以下「ＰＩＯ装置」ともいう。）とＰＩＯ装置端子台とを収納し、プロセス入出力装置とＰＩＯ装置端子台は配線により接続されている。プロセス入出力盤のＰＩＯ装置端子台は機器側ケーブルを介してポンプ等の現場機器と接続され、プロセス入出力装置はネットワークを介して計算機と接続されている。
【０００４】
従来、プラント監視制御システムの更新は、筐体も含めたプラント監視制御システム一括の更新により実施されるのが通例であった。従来の一括更新手法によるプラント監視制御システムの更新方法および試験方法について、以下に説明する。
【０００５】
プラント監視制御システムの更新時は、既設計算機の既設サーバおよび既設クライアントと既設ネットワーク間のケーブルとを取り外し、既設計算機を撤去する。また既設計算機の撤去と併せて、既設プロセス入出力盤と現場機器を接続している機器側ケーブルと、既設計算機と接続している既設ネットワークケーブルとを外し、既設プロセス入出力盤を撤去する。
【０００６】
従って、既設計算機の既設サーバおよび既設クライアントと接続している既設ネットワークケーブルを外した時点から、警報処理・表示処理機能が喪失する。既設計算機の撤去が完了すると、新設計算機を搬入し、新設サーバと、新設クライアントを新設ネットワークに接続する。既設プロセス入出力盤の既設プロセス入出力装置を撤去後に新設プロセス入出力盤の新設プロセス入出力装置と新設ＰＩＯ装置端子台を搬入し、新設プロセス入出力装置と新設ＰＩＯ装置端子台を新設配線により接続し、新設プロセス入出力盤に現場機器を接続している機器側ケーブルを接続し、新設プロセス入出力装置に新設ネットワークを接続する。この時点では、新設計算機は試験を行っていないため、警報処理・表示処理機能は喪失したままとなっている。
【０００７】
新設計算機の警報処理・表示処理機能確認試験は、新設プロセス入出力盤から操作員がネットワーク受信信号を模擬し、新設ネットワークを介して新設計算機の新設サーバと新設クライアント伝送確認試験を実施している。
【０００８】
また、新設プロセス入出力盤と現場機器との接続確認試験は、試験員が現場機器から入力信号模擬を行い、新設プロセス入出力盤にて別の試験員が入力信号確認を行うことにより実施している。これらの試験が完了すると、新設プロセス入出力盤のプロセスデータ入力が開始され、更新が完了する。
【０００９】
上述のとおり、プラント監視制御システム更新に伴い、既設計算機の既設サーバおよび既設クライアントと接続している既設ネットワークケーブルおよび既設プロセス入出力盤から機器側ケーブルを外した時点から、搬入した新設計算機および新設プロセス入出力盤の試験が完了するまでの長期間にわたり、監視表示用プロセスデータ入力機能が停止し、警報処理機能および表示処理機能も喪失した状態となっている。
【００１０】
また、新設計算機の試験は、既設計算機のネットワークケーブルや機器側ケーブルの取り外し、既設計算機の撤去、既設ＰＩＯの撤去、新設計算機の搬入、新設プロセス入出力盤の搬入および機器側ケーブルやネットワークケーブルの接続後に実施する必要があり、しかも、プラント監視制御システム更新作業の開始から新設計算機の試験を開始するまでには長期間を要している。
【００１１】
さらに、プラント監視制御システムの計算機であるサーバとクライアントは、一括更新を行うまでの期間、プラント運転に合わせて常に正常に稼動する必要があるため、長期保守や修理が可能な計算機を選定しなければならない。プラント監視制御システムに適用される計算機の保守期間は、プロセス入出力装置の更新期間を基準に１５年程度が求められている。
【００１２】
長期間に渡って使用されるプロセス入出力装置は、正常に運転継続するため、定期的に保守、点検作業が実施されている。プロセス入出力装置の保守、点検方法について以下に説明する。
【００１３】
多数の現場機器を監視するプラント監視制御システムでは複数のプロセス入出力装置をネットワークで接続している。プロセス入出力装置の保守、点検時は、計算機にデータを送信するためのネットワークのケーブルをプロセス入出力装置から外し、プロセス入出力装置の保守・点検作業を行う。
【００１４】
プラント監視制御システムにおける警報処理機能、表示処理機能は、ネットワークのケーブルをプロセス入出力装置より外した時点から、プロセス入出力装置全体のうち当該プロセス入出力装置の部分について監視不可の状態となる。プロセス入出力装置の内部状態を確認する保守ツールとプロセス入出力装置を接続し、点検作業者がプロセス入出力装置の動作状態を点検し、必要があれば設定パラメータの調整や、部品交換を実施する。
【００１５】
点検・調整作業後、保守ツールを取り外し、ネットワークのケーブルをプロセス入出力装置に接続し、現場機器からの信号が計算機のサーバ、クライアントで正常に更新されていることを確認することにより、プロセス入出力装置の保守・点検作業が完了する。
【００１６】
他のプロセス入出力装置についても同様の作業を実施していく。
【００１７】
上述のとおり、プロセス入出力装置の保守、点検に伴い、プロセス入出力装置と計算機とを接続するネットワークよりケーブルを外した時点から、全てのプロセス入出力装置の保守・点検作業が完了するまでの長期間にわたり、監視表示プロセスデータの入力機能が部分的に停止を繰り返し、警報処理機能、表示処理機能も喪失した状態となっている。
【００１８】
また、点検で異常が発見され部品交換が必要となった場合にはさらに復旧までの期間が必要となり、プロセス入出力装置の保守・点検開始から、作業完了しプラント監視制御システムにてプロセスデータ全点の監視が可能となるまでに長い期間を要している。
【先行技術文献】
【特許文献】
【００１９】
【特許文献１】特開平１０−２２８３２９号公報
【発明の概要】
【発明が解決しようとする課題】
【００２０】
前記のように、プラント監視制御システムの一括更新による従来の方法によれば、既設計算機を停止し、既設プロセス入出力盤の外線ケーブルを外した時点から、新設計算機と新設プロセス入出力盤を設置し、新設プロセス入出力盤からの入力試験が完了するまでの長い間、プロセスデータ入力機能と警報処理・表示処理の喪失が発生する。そのため、プロセスデータ入力機能と警報処理・表示処理が停止している期間中、プロセスデータ入力機能が停止したデータを運転員による手記録や警報判定を代替する等の仮運用が必要となっている。
【００２１】
また、プラント監視制御システムのプロセス入出力装置の保守、点検において、複数存在するプロセス入出力装置を順番に実施していく場合も、最初のプロセス入出力装置点検のためにネットワークケーブルから外した時点から、最後のプロセス入出力装置点検が完了するまでの長期間にわたり、プロセスデータ入力機能と警報処理機能、表示処理機能の喪失が順次発生する。そのため、プロセスデータ入力機能と警報処理・表示処理が停止している期間中、プロセスデータ入力機能が停止したデータを運転員による手記録や警報判定を代替する等の仮運用が必要となっている。
【００２２】
そこで、本発明は、プラント監視制御システムの更新あるいは保守点検時に、プロセスデータを含む現場機器側情報の入力機能と警報処理機能、表示処理機能の長時間の喪失なしにその機能を維持できることを目的とする。
【課題を解決するための手段】
【００２３】
上述の目的を達成するため、本発明は、既設計算機、および該既設計算機とネットワークで接続されかつ現場機器と接続される既設プロセス入出力盤を有するプラント監視制御システムの、前記既設計算機および前記既設プロセス入出力盤をそれぞれ新設計算機および新設プロセス入出力盤に更新する更新方法において、前記現場機器と前記既設プロセス入出力盤との間に、機器側信号を同一内容の第１の機器側情報信号と第２の機器側情報信号とに分配する中継端子盤を設置する中継端子盤設置ステップと、前記中継端子盤設置ステップの後に、前記中継端子盤と前記既設プロセス入出力盤との間、および前記中継端子盤と前記現場機器との間を接続し、前記中継端子盤を介して前記第１の機器側情報信号を前記既設プロセス入出力盤に送信可能とする第１の接続ステップと、新設プロセス入出力盤を設置する入出力盤設置ステップと、前記中継端子盤設置ステップおよび前記入出力盤設置ステップの後に、前記新設プロセス入出力盤の入力側と、前記中継端子盤の前記第２の機器側情報信号の出力側とを接続する第２の接続ステップと、前記入出力盤設置ステップの後に、前記新設プロセス入出力盤の出力側を前記ネットワークと接続する第３の接続ステップと、前記第１の接続ステップ、前記第２の接続ステップおよび前記第３の接続ステップの後に、前記既設計算機が、前記既設プロセス入出力盤を経由して入力される前記第１の機器側情報信号と、前記新設プロセス入出力盤を経由して入力される前記第２の機器側情報信号とを、相互に比較し、同一内容であることを確認する既設計算機確認ステップと、新設計算機を設置して、前記新設計算機と前記ネットワークとを接続する計算機設置ステップと、前記計算機設置ステップおよび前記既設計算機確認ステップの後に、前記新設計算機が、前記既設プロセス入出力盤を経由して入力される前記第１の機器側情報信号と、前記新設プロセス入出力盤を経由して入力される前記第２の機器側情報信号とを、相互に比較し、同一内容であることを確認する新設計算機確認ステップと、前記新設計算機確認ステップの後に、前記既設計算機と前記ネットワーク間の接続を解除し、前記既設計算機を撤去する計算機撤去ステップと、前記新設計算機確認ステップの後に、前記既設プロセス入出力盤と前記ネットワーク間の接続、および既設プロセス入出力盤と前記中継端子盤間の接続を解除し、前記既設プロセス入出力盤を撤去する既設入出力盤撤去ステップと、を有することを特徴とする。
【００２４】
また、本発明は、既設計算機と、該既設計算機とネットワークで接続されかつ現場機器と接続される既設プロセス入出力盤と、前記既設プロセス入出力盤と複数の現場機器との間にあって複数の機器側信号を同一内容の第１の機器側情報信号と第２の機器側情報信号とに分配する中継端子盤とを有するプラント監視制御システムの、前記既設計算機および前記既設プロセス入出力盤をそれぞれ新設計算機および新設プロセス入出力盤に更新する更新方法において、新設プロセス入出力盤を設置する入出力盤設置ステップと、前記入出力盤設置ステップの後に、前記新設プロセス入出力盤の入力側と、前記中継端子盤の前記第２の機器側情報信号の出力側とを接続する第１の接続ステップと、前記入出力盤設置ステップの後に、前記新設プロセス入出力盤の出力側を前記ネットワークと接続する第２の接続ステップと、前記第１の接続ステップおよび前記第２の接続ステップの後に、前記既設計算機が、前記既設プロセス入出力盤を経由して入力される前記第１の機器側情報信号と、前記新設プロセス入出力盤を経由して入力される前記第２の機器側情報信号とを、相互に比較し、同一内容であることを確認する既設計算機確認ステップと、新設計算機を設置して、前記新設計算機と前記ネットワークとを接続する計算機設置ステップと、前記計算機設置ステップおよび前記既設計算機確認ステップの後に、前記新設計算機が、前記既設プロセス入出力盤を経由して入力される前記第１の機器側情報信号と、前記新設プロセス入出力盤を経由して入力される前記第２の機器側情報信号とを、相互に比較し、同一内容であることを確認する新設計算機確認ステップと、前記新設計算機確認ステップの後に、前記既設計算機と前記ネットワーク間の接続を解除し、前記既設計算機を撤去する計算機撤去ステップと、前記新設計算機確認ステップの後に、前記既設プロセス入出力盤と前記ネットワーク間の接続、および既設プロセス入出力盤と前記中継端子盤間の接続を解除し、前記既設プロセス入出力盤を撤去する既設入出力盤撤去ステップと、を有することを特徴とする。
【００２５】
また、本発明は、計算機、および該計算機とネットワークで接続されかつ現場機器と接続されるプロセス入出力盤を有するプラント監視制御システムの、保守点検対象としての前記対象プロセス入出力盤の保守点検の保守方法において、前記現場機器と前記対象プロセス入出力盤との間に、機器側信号を同一内容の第１の機器側情報信号と第２の機器側情報信号とに分配する中継端子盤を設置する中継端子盤設置ステップと、前記中継端子盤設置ステップの後に、前記中継端子盤と前記対象プロセス入出力盤との間、および前記中継端子盤と現場機器との間を接続し、前記第１の機器側情報信号を前記対象プロセス入出力盤に送信可能とする第１の接続ステップと、仮設プロセス入出力盤を設置する仮設設置ステップと、前記第１の接続ステップと前記仮設設置ステップの後に、前記仮設プロセス入出力盤の入力側と、前記中継端子盤の前記第２の機器側情報信号の出力側とを接続する第２の接続ステップと、前記仮設設置ステップの後に、前記仮設プロセス入出力盤の出力側を前記ネットワークと接続する第３の接続ステップと、前記第１の接続ステップと前記第２の接続ステップと前記第３の接続ステップとの後に、前記計算機が、前記対象プロセス入出力盤を経由して入力される前記第１の機器側情報信号と、前記仮設プロセス入出力盤を経由して入力される前記第２の機器側情報信号とを、相互に比較し、同一内容であることを確認する保守前確認ステップと、前記確認ステップの後に、前記対象プロセス入出力盤について、保守可能状態に設定し、保守作業を実施する保守ステップと、前記保守ステップの後に、前記対象プロセス入出力盤を保守可能状態から復旧しインサービスする復帰ステップと、前記復帰ステップの後に、前記計算機が、前記対象プロセス入出力盤を経由して入力される前記第１の機器側情報信号と、前記仮設プロセス入出力盤を経由して入力される前記第２の機器側情報信号とを、相互に比較し、同一内容であることを確認する保守後確認ステップと、前記保守後確認ステップの後に、前記仮設プロセス入出力盤と前記ネットワーク間、および前記仮設プロセス入出力盤と前記中継端子盤間の接続を解除し、前記仮設プロセス入出力盤を撤去する撤去ステップと、を有することを特徴とする。
【００２６】
また、本発明は、計算機、該計算機とネットワークで接続されかつ現場機器と接続されるプロセス入出力盤、および前記プロセス入出力盤と複数の現場機器との間にあって複数の機器側信号を同一内容の第１の機器側情報信号と第２の機器側情報信号とに分配する中継端子盤とを有するプラント監視制御システムの、保守点検対象としての前記対象プロセス入出力盤の保守点検の保守方法において、仮設プロセス入出力盤を設置する仮設設置ステップと、前記仮設設置ステップの後に、前記仮設プロセス入出力盤の入力側と、前記中継端子盤の前記第２の機器側情報信号の出力側とを接続する第１の接続ステップと、前記仮設設置ステップの後に、前記仮設プロセス入出力盤の出力側を前記ネットワークと接続する第２の接続ステップと、前記第１の接続ステップと前記第２の接続ステップの後に、前記計算機が、前記対象プロセス入出力盤を経由して入力される前記第１の機器側情報信号と、前記仮設プロセス入出力盤を経由して入力される前記第２の機器側情報信号とを、相互に比較し、同一内容であることを確認する保守前確認ステップと、前記確認ステップの後に、前記対象プロセス入出力盤について、保守可能状態に設定し、保守作業を実施する保守ステップと、前記保守ステップの後に、前記対象プロセス入出力盤を保守可能状態から復旧しインサービスする復帰ステップと、前記復帰ステップの後に、前記計算機が、前記対象プロセス入出力盤を経由して入力される前記第１の機器側情報信号と、前記仮設プロセス入出力盤を経由して入力される前記第２の機器側情報信号とを、相互に比較し、同一内容であることを確認する保守後確認ステップと、前記保守後確認ステップの後に、前記仮設プロセス入出力盤と前記ネットワーク間、および前記仮設プロセス入出力盤と前記中継端子盤間の接続を解除し、前記仮設プロセス入出力盤を撤去する撤去ステップと、を有することを特徴とする。
【００２７】
また、本発明は、計算機と、ネットワークを介して前記計算機に接続されたプロセス入出力盤と、各現場機器と前記プロセス入出力盤との間に介在する中継端子盤と、を備えたプラント監視制御システムにおいて、前記中継端子盤は、前記各現場機器との間での機器側情報信号を取り合うための現場機器ケーブル接続部と、受信した前記機器側情報信号を同一内容の第１の機器側情報信号と第２の機器側情報信号とに分配する信号分配部と、前記第１の機器側情報信号を前記プロセス入出力盤に出力するための第１のプロセス入出力盤との間の第１のＰＩＯ接続部と、前記第２の機器側情報信号を取り出し可能な状態とするための外部との取り合い部と、を有することを特徴とする。
【００２８】
また、本発明は、計算機と、ネットワークを介して前記計算機に接続された第１のプロセス入出力盤および第２のプロセス入出力盤と、複数の現場機器と前記第１のプロセス入出力盤および第２のプロセス入出力盤との間に介在する中継端子盤と、を備えるプラント監視制御システムであって、前記計算機は、前記第１の機器側情報信号および前記第２の機器側情報信号を受信するデータ受信部と、前記第１の機器側情報信号と第２の機器側情報信号とを比較し演算結果を出力する比較演算部と、前記比較演算部の演算結果を表示装置に出力する表示処理部と、を有し、前記中継端子盤は、前記現場機器からの機器側情報信号を受信し、前記機器側情報信号を同一内容の第１の機器側情報信号と第２の機器側情報信号とに分配し、前記第１の機器側情報信号を前記第１のプロセス入出力盤に出力するとともに、前記第２の機器側情報信号を前記第２のプロセス入出力盤に出力し、前記計算機は、前記第１の機器側情報信号と前記第２の機器側情報信号と比較が可能である、ことを特徴とする。
【発明の効果】
【００２９】
本発明によるプラント監視制御システム、プラント監視制御システムの更新方法およびプラント監視制御システムの保守方法は、プロセスデータを含む現場機器側情報の入力機能と警報処理機能、表示処理機能の長時間の喪失なしにその機能を維持することができる。
【図面の簡単な説明】
【００３０】
【図１】本発明の第１の実施形態に係るプラント監視制御システムの更新方法におけるプラント監視制御システムの構成を示すブロック図である。
【図２】本発明の第１の実施形態に係るプラント監視制御システムの更新方法を示すフロー図である。
【図３】本発明の第１の実施形態に係るプラント監視制御システムの更新方法におけるプラント監視制御システムの最終の構成を示すブロック図である。
【図４】本発明の第２の実施形態に係るプラント監視制御システムの更新方法を示すフロー図である。
【図５】本発明の第３の実施形態に係るプラント監視制御システムの保守方法におけるプラント監視制御システムの構成を示すブロック図である。
【図６】本発明の第３の実施形態に係るプラント監視制御システムの保守方法を示すフロー図である。
【図７】本発明の第４の実施形態に係るプラント監視制御システムの保守方法を示すフロー図である。
【発明を実施するための形態】
【００３１】
以下、図面を参照して本発明に係るプラント機器交換支援システムの実施形態について説明する。ここで、同一または類似の部分には、共通の符号を付して、重複説明は省略する。
【００３２】
〔第１の実施形態〕
図１は、本発明の第１の実施形態に係るプラント監視制御システムの更新方法におけるプラント監視制御システムの構成を示すブロック図である。
【００３３】
プラント監視システムは、プロセスデータを入力するプロセス入出力装置（以下「ＰＩＯ装置」という）、警報処理および表示処理を行う計算機を有する。
【００３４】
更新前は、図１の既設計算機１１０、既設表示装置１３０および既設プロセス入出力盤１２０が設置されており、プラント内に多数設置されている各現場機器３０からの現場機器側情報は、機器側ケーブル３１を介して、直接、既設プロセス入出力盤（既設ＰＩＯ装置盤）１２０の既設ＰＩＯ装置端子台１２２に接続されている状態である。
【００３５】
この状態から、新設プロセス入出力盤（新設ＰＩＯ装置盤）２２０および新設計算機２１０を設置し、既設プロセス入出力盤１２０および既設計算機１１０を撤去する。この際、中継端子盤３００を設置することにより、プラントを停止せざるを得ない条件となりうるプラント監視システムの監視機能の喪失期間を最小限にとどめる。しかも、更新過程においての多数の信号ケーブル等の新設のプロセス入出力装置の前後のケーブル接続等の確認作業を大幅に軽減できる。
【００３６】
図１は、この更新方法のステップの途中段階における既設部分および新設部分がともに設置されている状態を示している。
【００３７】
既設計算機アプリケーション１１１は、既設計算機ＯＳ１１５に基づき、ＰＩＯ装置からのプロセスデータを受信するデータ受信部１１４および処理結果を表示装置に出力する表示処理部１１２を備える。
【００３８】
既設プロセス入出力盤１２０は、コントローラ及びリレー等により構成された既設ＰＩＯ装置１２１と既設ＰＩＯ装置端子台１２２を備える。既設ＰＩＯ装置１２１は、入力側から既設ＰＩＯ装置接続部１２５、既設ＰＩＯ装置ＯＳ（オペレーティングシステム）１２４、既設ＰＩＯ装置アプリケーション１２３を有し、ネットワーク１１にて既設計算機１１０と接続されている。
【００３９】
既設プロセス入出力盤１２０の既設ＰＩＯ装置端子台１２２は中継端子盤３００が設置された後に、中継端子盤３００と第１のＰＩＯ接続ケーブル３１２に接続を変更される。
【００４０】
既設計算機１１０は、既設ＰＩＯ装置盤１２０のプロセスデータを受信するデータ受信部１１４および表示処理部１１２を有し、既設計算機ＯＳ１１５を備える。
【００４１】
新設プロセス入出力盤２２０は、既設プロセス入出力盤１２０と同様の構成であり、コントローラ及びリレー等により構成された新設ＰＩＯ装置２２１と新設ＰＩＯ装置端子台２２２を備える。新設ＰＩＯ装置２２１は、新設ＰＩＯ装置接続部２２５、新設ＰＩＯ装置ＯＳ（オペレーティングシステム）２２４、新設ＰＩＯ装置アプリケーション２２３を有し、ネットワーク１１に接続される。
【００４２】
新設プロセス入出力盤２２０および中継端子盤３００が設置された後に、新設プロセス入出力盤２２０の新設ＰＩＯ装置端子台２２２と中継端子盤３００とが第２のＰＩＯ接続ケーブル３２２により接続される。
【００４３】
新設計算機アプリケーション２１１は、新設計算機ＯＳ２１５に基づき、ＰＩＯ装置からのプロセスデータを受信するデータ受信部２１４、処理結果を新設表示装置２３０に出力する表示処理部２１２、既設ＰＩＯ装置１２１から受信するプロセスデータと新設ＰＩＯ装置２２１から受信するプロセスデータを比較し、プロセスデータの整合性を判定する比較演算部２１３を備える。
【００４４】
中継端子盤３００は、現場機器側情報信号を第１と第２の複数に分配する信号分配部３０２、第１のＰＩＯ接続部３１１、第２の新設ＰＩＯ接続部３２１を有する。ここでいう現場機器側情報が、前記のプロセスデータに相当する。
【００４５】
現場機器３０は多数存在するので、現場機器３０と中継端子盤３００間の機器側ケーブル３１は多数本に及ぶ。また、機器側ケーブル３１を介して中継端子盤３００の現場機器信号接続部３０１に入力される現場機器側情報信号も多数に及ぶ。
【００４６】
また、中継端子盤３００から、既設プロセス入出力盤１２０および新設プロセス入出力盤２２０への第１のＰＩＯ接続ケーブル３１２および第２のＰＩＯ接続ケーブル３２２を、それぞれ既設ＰＩＯ装置端子台１２２および新設ＰＩＯ装置端子台２２２に接続することになる。プラントの監視機能の確保の上から、先ずは、第１のＰＩＯ接続ケーブル３１２を接続する必要がある。
【００４７】
現場機器３０から既設プロセス入出力盤１２０までのケーブル接続を解除し、既設プロセス入出力盤１２０の入力側のケーブル敷設が完了するまでの期間が、プラント監視システムの監視機能の喪失期間すなわちプラントを停止せざるを得ない期間である。この期間を除けば、プラント監視システムの監視機能は確保されており、プラントは運転状態のまま、作業を行うことができる。
【００４８】
新設ＰＩＯ装置２２１は、第２のＰＩＯ接続ケーブル３２２を接続する新設ＰＩＯ装置接続部２２５、新設ＰＩＯ装置ＯＳ（オペレーティングシステム）２２４、新設ＰＩＯ装置アプリケーション２２３を有し、ネットワーク１１にて新設計算機２１０と接続される。
【００４９】
新設計算機２１０は、新設プロセス入出力盤２２０のプロセスデータを最新の警報処理・表示機能向けのデータ変換処理を備え、新設計算機ＯＳ２１５、新設計算機アプリケーション２１１から構成される。
【００５０】
新設計算機アプリケーション２１１は、ＰＩＯ装置からのプロセスデータを受信するデータ受信部２１４、処理結果を新設表示装置２３０に出力する表示処理部２１２、既設ＰＩＯ装置１２１から受信するプロセスデータと新設ＰＩＯ装置２２１から受信するプロセスデータを比較し、プロセスデータの整合性を判定する比較演算部２１３を備える。
【００５１】
図２は、本発明の第１の実施形態に係るプラント監視制御システムの更新方法を示すフロー図である。
【００５２】
まず、中継端子盤３００を設置する（Ｓ１）。
【００５３】
続いて、多数存在する現場機器３０と中計端子盤３００間のケーブルの敷設および接続、並びに中継端子盤３００と既設プロセス入出力盤１２０の既設ＰＩＯ装置端子台１２２間の第１のＰＩＯ接続ケーブル３１２の敷設および接続を行う（Ｓ２）。
【００５４】
また、新設プロセス入出力盤２２０を設置する（Ｓ３）。ここで、ステップＳ１、Ｓ２とステップＳ３との前後関係は問わない。
【００５５】
ステップＳ２およびステップＳ３に続いて、新設プロセス入出力盤２２０の新設ＰＩＯ装置端子台２２２と中継端子盤３００間の第２のＰＩＯ接続ケーブル３２２の敷設および接続を行う（Ｓ４）。
【００５６】
また、ステップＳ３に続いて、新設プロセス入出力盤２２０とネットワーク１１間の接続を行う（Ｓ５）。
【００５７】
ステップＳ４およびステップＳ５に続いて、既設計算機１１０により、既設プロセス入出力盤１２０および新設プロセス入出力盤２２０をそれぞれ経由した第１及び第２の現場機器側情報を比較して、同一性を確認する（Ｓ６）。なお、既設計算機１１０は新設計算機２１０と異なり一般的には比較演算部を有しないため、上記の比較は多くは、人間系による比較となる。
【００５８】
新設計算機２１０を設置する（Ｓ７）。続いて、新設計算機２１０とネットワーク１１とを接続する（Ｓ８）。
【００５９】
ステップＳ８の後、新設計算機２１０により、既設プロセス入出力盤１２０および新設プロセス入出力盤２２０をそれぞれ経由した第１及び第２の現場機器側情報を比較して同一性を確認する（Ｓ９）。この場合は、新設計算機２１０が有する比較演算部２１３の機能を使用して効率的に確認を実施できる。
【００６０】
ステップＳ９が終了した後、既設計算機１１０とネットワーク１１間の接続の解除と既設計算機の撤去を行い（Ｓ１０）、また、既設プロセス入出力盤１２０とネットワーク１１間、既設プロセス入出力盤１２０と中継端子盤３００間の各接続を解除し、既設プロセス入出力盤１２０の撤去を行う(Ｓ１１)。
【００６１】
なお、ステップＳ９において、新設計算機２１０による比較が効率的に実施できるため、ステップＳ６の既設計算機１１０による比較は必須ではなく、工程的に余裕があり、工事の不具合等を早期に発見するため等の目的がある場合にのみ実施することが考えられる。
【００６２】
以上のように、本実施形態によるプラント監視制御システムの更新方法によれば、プロセスデータ入力機能と警報処理機能、表示処理機能の長時間の喪失なしにその機能を維持することができる。
【００６３】
中継端子盤３００および新設計算機２１０の比較演算機能がなければ、新設プロセス入出力盤２２０の接続を１点ずつ確認することが必要となり膨大な作業となる。以上に説明したように、本実施形態において、プロセス入出力盤の更新については、新設計算機２１０において２つの現場機器側情報を比較演算機能による比較のみで、新設のプロセス入出力盤２２０の設置、ケーブル接続の正しさを確認することができる。
【００６４】
また、現場機器側情報について、少なくとも一方は信号ラインの切断のプロセスがないことから、監視制御機能を中断することなしに更新を行うことができる。
【００６５】
図３は、本発明の第１の実施形態に係るプラント監視制御システムの更新方法におけるプラント監視制御システムの最終の構成を示すブロック図である。
【００６６】
ネットワーク１１に、新設計算機２１０、新設プロセス入出力盤２２０が接続されている。
【００６７】
更新当初には設置されていなかった中継端子盤３００が本設設置されている。
【００６８】
中継端子盤３００から第２の現場機器側情報を与える第２のＰＩＯ接続部３２１は、新設プロセス入出力盤２２０の新設ＰＩＯ装置端子台２２２と接続されている状態であり、このラインで、ネットワーク１１を介して新設計算機２１０に信号が接続されており、プラント監視制御システムの機能が維持されている。
【００６９】
一方、中継端子盤３００からは、第１の現場機器側情報を与える第１のＰＩＯ接続部３１１は、予備の接続部分として、外部との取り合い部３１２ａである接続端子部を有し、プロセス入出力盤２２０の次の保守や更新時は、この部分で、次のプロセス入出力盤と接続が可能な状態となっている。
【００７０】
本実施形態では、中継端子盤３００の設置工程が増えるが、一旦設置すれば、中継端子盤３００は本設のまま維持できる。この結果、再度、本設のプロセス入出力盤２２０の保守・点検、更新等の場合は、既設の中継端子盤３００がある場合の実施形態と同様のステップで点検、更新等を行うことができる。
【００７１】
〔第２の実施形態〕
図４は、本発明の第２の実施形態に係るプラント監視制御システムの更新方法を示すフロー図である。
【００７２】
第１の実施形態においては、既設計算機１１０および既設プロセス入出力盤１２０が設置されており既設の中継端子盤３００がない場合であったが、本実施形態による更新方法は、既設の中継端子盤３００が存在する場合、具体的には、第１の実施形態における最後の状態すなわち図３に示される状態からスタートするものである。
【００７３】
図４は、この場合に、計算機およびプロセス入出力盤を更新する方法を示している。
【００７４】
第１の実施形態と異なるのは、既設の中継端子盤３００が存在することにより、第１の実施形態による更新方法のステップＳ１およびステップＳ２がなく、ステップＳ３からスタートすることである。この点以外は、第１の実施形態と同様である。
【００７５】
以上のような本実施形態による更新のステップにより、プロセスデータすなわち現場機器側情報が欠落することなく、既設プロセス入出力盤１２０から新設プロセス入出力盤２２０への更新を行うことが可能であるため、プラント監視システムの連続運用が可能でありシステム停止期間の短縮、稼働率の向上を図ることができる。
【００７６】
〔第３の実施形態〕
図５は、本発明の第３の実施形態に係るプラント監視制御システムの保守方法におけるプラント監視制御システムの構成を示すブロック図である。
【００７７】
保守前の状態は、図５の計算機５１０、表示装置５３０および本設プロセス入出力盤５２０が設置されており、プラント内に多数設置されている各現場機器３０からの現場機器側情報は、機器側ケーブル３１を介して、直接、本設プロセス入出力盤５２０の本設ＰＩＯ装置端子台５２２に接続されている状態である。
【００７８】
この状態から、仮設プロセス入出力盤４２０を設置し、本設プロセス入出力盤５２０の保守、点検を実施するが、この際、中継端子盤３００を設置することにより、プラントを停止せざるを得ない条件となりうるプラント監視システムの監視機能の喪失期間を最小限とし、かつ、保守に係る作業の過程においての多数の信号ケーブル等の仮設プロセス入出力装置の前後のケーブル接続等の妥当性の確認作業を大幅に軽減できる方法を与えるものである。
【００７９】
図５は、この保守方法のステップの途中段階における本設部分および仮設部分がともに設置されている状態を示している。
【００８０】
プロセスデータ等の現場機器側情報を入力するＰＩＯ装置は、本設プロセス入出力盤５２０と、保守・点検時に使用する仮設プロセス入出力盤４２０とがある。
【００８１】
本設プロセス入出力盤５２０は、コントローラ及びリレー等により構成された本設ＰＩＯ装置５２１とＰＩＯ装置端子台５２２とを備え、本設ＰＩＯ装置５２１は、本設ＰＩＯ装置接続部５２５、本設ＰＩＯ装置ＯＳ（オペレーティングシステム）５２４、本設ＰＩＯ装置アプリケーション５２３を有している。本設ＰＩＯ装置５２１の本設ＰＩＯ装置端子台５２２には多数の現場機器３０からの現場機器側情報の送信のための機器側ケーブル３１が接続されている。
【００８２】
また、本設プロセス入出力盤５２０の本設ＰＩＯ装置端子台５２２は、ネットワーク１１を介して計算機５１０と接続されている。
【００８３】
保守作業に先立ち、中継端子盤３００が設置される。中継端子盤３００は、機器側ケーブル３１を接続する現場機器信号接続部３０１、現場からの信号を分配する信号分配部３０２、第１のＰＩＯ接続部３１１、第２のＰＩＯ接続部３２１から構成され、第１のＰＩＯ接続部３１１は、第１のＰＩＯ接続ケーブルを介して本設プロセス入出力盤５２０と接続される。
【００８４】
仮設プロセス入出力盤４２０は、第２のＰＩＯ接続ケーブル４２６を接続する仮設ＰＩＯ装置接続部４２５、仮設ＰＩＯ装置ＯＳ４２４、仮設ＰＩＯ装置アプリケーション４２３から構成され、ネットワーク１１にて計算機５１０と接続される。
【００８５】
本設プロセス入出力盤５２０には、ＰＩＯ装置の動作状態を確認する保守ツール４０が接続されている。
【００８６】
計算機５１０の計算機アプリケーション５１１は、計算機ＯＳ５１５に基づき、本設プロセス入出力盤５２０および仮設プロセス入出力盤４２０からの現場機器側情報を受信するデータ受信部５１４、処理結果を表示装置に出力する表示処理部５１２、本設プロセス入出力盤５２０から受信するプロセスデータを含む第１の現場機器側情報と仮設プロセス入出力盤４２０から受信するプロセスデータを含む第２の現場機器側情報とを比較し、現場機器側情報の整合性を判定する比較演算部５１３を備える。
【００８７】
仮設プロセス入出力盤４２０は、現場機器３０からの信号を中継端子盤３００の信号分配部３０２、第２のＰＩＯ接続部３２１を介して、仮設ＰＩＯ装置端子台４２２にて入力する。仮設ＰＩＯ装置４２１からの仮設プロセスデータ、すなわち第２の現場機器側情報がネットワーク１１に出力され、計算機５１０の計算機アプリケーション５１１にて受信処理される。
【００８８】
計算機５１０では、現場機器からのデータとして本設プロセスデータ、すなわち第１の現場機器側情報と、仮設プロセスデータすなわち第２の現場機器側情報とを入力し、比較演算部５１３にて整合性を判定する。
【００８９】
比較結果はプロセスデータ単位に一致または、不一致をレポートとして出力し、本設プロセス入出力盤５２０と仮設プロセス入出力盤４２０からのプロセスデータを含む現場機器側情報の妥当性の評価を可能にする。
【００９０】
本設プロセスデータと仮設プロセスデータの整合性を確認し、計算機５１０にて仮設プロセス入出力盤４２０からの信号監視ができることを確認後、仮設プロセス入出力盤４２０からネットワーク１１へのケーブルを取り外す。
【００９１】
本設プロセス入出力盤５２０に保守ツール４０を接続し、本設ＰＩＯ装置５２１の保守・点検を実施する。保守・点検処理完了後、本設ＰＩＯ装置５２１をネットワーク１１へケーブル接続し、計算機５１０へデータを送信する。
【００９２】
計算機５１０の比較演算部５１３にて第１及び第２の現場機器側情報の整合性を確認し、計算機５１０にて本設プロセス入出力盤５２０からの信号監視ができることを確認後、仮設プロセス入出力盤４２０を取り外す。
【００９３】
プラント監視システムにおける入力点数が多く複数のＰＩＯ装置を有するシステムでは、それぞれのＰＩＯ装置に仮設ＰＩＯ装置を接続し、上記同様に保守・点検を実施していく。
【００９４】
図６は本発明の第３の実施形態に係るプラント監視制御システムの保守方法を示すフロー図である。
【００９５】
まず、中継端子盤３００を設置する（Ｓ２１）。
【００９６】
続いて、多数存在する現場機器３０と中継端子盤３００間の機器側ケーブル３１の敷設および接続、並びに中継端子盤３００と本設プロセス入出力盤５２０の本設ＰＩＯ装置端子台５２２間の第１のＰＩＯ接続ケーブル５２６の敷設および接続を行う（Ｓ２２）。
【００９７】
その後、仮設プロセス入出力盤４２０を設置する（Ｓ２３）。
【００９８】
ステップＳ２３の後に、仮設プロセス入出力盤４２０の仮設ＰＩＯ装置端子台４２２と中継端子盤３００間の第２のＰＩＯ接続ケーブル４２６の敷設および接続を行う（Ｓ２４）。
【００９９】
また、ステップＳ２３の後に、仮設プロセス入出力盤４２０とネットワーク１１間の接続を行う（Ｓ２５）。
【０１００】
ステップＳ２４およびステップＳ２５の後に、計算機５１０により、本設プロセス入出力盤５２０および仮設プロセス入出力盤４２０をそれぞれ経由した第１及び第２の現場機器側情報を比較して、同一性を確認する（Ｓ２６）。なお、比較は、計算機５１０の比較演算部５１３により行う。
【０１０１】
ステップＳ２６の後、本設プロセス入出力盤５２０と中継端子盤３００間、および本設プロセス入出力盤５２０とネットワーク間の接続を解除する（Ｓ２７）。
【０１０２】
次に、本設プロセス入出力盤５２０の保守点検を行う（Ｓ２８）。
【０１０３】
ステップＳ２８が完了したら、本設プロセス入出力盤５２０と中継端子盤３００間、および本設プロセス入出力盤５２０とネットワーク間の接続を復旧し、本設プロセス入出力盤５２０をインサービスする（Ｓ２９）。
【０１０４】
ステップＳ２９の後に、計算機５１０により、本設プロセス入出力盤５２０および仮設プロセス入出力盤４２０をそれぞれ経由した第１及び第２の現場機器側情報を比較して、同一性を確認する（Ｓ３０）。
【０１０５】
ステップＳ３０が終了した後、仮設プロセス入出力盤４２０とネットワーク１１間、仮設プロセス入出力盤４２０と中継端子盤３００間の各接続を解除し、仮設プロセス入出力盤４２０の撤去を行う(Ｓ３１)。
【０１０６】
以上の点検ステップ終了後は、本設の中継端子盤３００を新たに設置したことから、計算機５１０、表示装置５３０、本設プロセス入出力盤５２０および中継端子盤３００が設置された状態となる。
【０１０７】
以上より、プラント監視システムを構成するＰＩＯ装置の保守・点検時には、中継端子盤３００を介して仮設プロセス入出力盤４２０を設置し、本設プロセス入出力盤５２０との整合性確認後に仮設プロセス入出力盤４２０を取り外して保守・点検が可能となる．このため、保守・点検前後の整合性確認および試験エビデンス採取作業の省力化が可能になるため試験時間を短縮することができる。
【０１０８】
また、仮設プロセス入出力盤４２０と本設プロセス入出力盤５２０の運用期間を一時的に重複することにより、プロセスデータが欠落することなく、本設プロセス入出力盤５２０の保守・点検を実施することが可能である。このため、プラント監視システムの連続運用が可能でありシステム停止期間の短縮、稼働率が向上するとともに、運転員による手記録やデータ採取するための仮設記録計の運用が不要となる。
【０１０９】
本実施形態では、中継端子盤３００の設置工程が増えるが、一旦設置すれば、中継端子盤３００は本設のまま維持できる。この結果、再度、本設プロセス入出力盤５２０の保守・点検、更新等の場合は、既設の中継端子盤３００がある場合の実施形態と同様のステップで点検、更新等を行うことができる。
【０１１０】
〔第４の実施形態〕
図７は、本発明の第４の実施形態に係るプラント監視制御システムの保守方法を示すフロー図である。
【０１１１】
第３実施形態においては、計算機５１０および本設プロセス入出力盤５２０は設置されているが、既設の中継端子盤がない場合であった。一方、本実施形態においては、既設の中継端子盤３００が存在する場合である。
【０１１２】
図７は、この場合の、本設のプロセス入出力盤の保守方法を示している。この点以外は、第３実施形態と同様である。
【０１１３】
第１の実施形態と異なるのは、既設の中継端子盤３００が存在することにより、第１の実施形態による保守方法のステップＳ２１およびステップＳ２２がなく、ステップＳ２３からスタートすることである。この点以外は、第１の実施形態と同様である。
【０１１４】
以上のような本実施形態による保守のステップにより、プロセスデータが欠落することなく、本設プロセス入出力盤５２０の保守を行うことが可能であるため、プラント監視システムの連続運用が可能でありシステム停止期間の短縮、稼働率の向上を図ることができる。
【０１１５】
〔その他の実施形態〕
以上、本発明のいくつかの実施形態を説明したが、これらの実施形態は、例として提示したものであり、発明の範囲を限定することは意図していない。さらに、これらの実施形態は、その他の様々な形態で実施されることが可能であり、発明の要旨を逸脱しない範囲で、種々の省略、置き換え、変更を行うことができる。
【０１１６】
これら実施形態やその変形には、発明の範囲や要旨に含まれると同様に、特許請求の範囲に記載された発明とその均等の範囲に含まれるものである。
【符号の説明】
【０１１７】
１１・・・ネットワーク、    ３０・・・現場機器、    ３１・・・機器側ケーブル、    ４０・・・保守ツール、    １１０・・・既設計算機、    １１１・・・既設計算機アプリケーション、    １１２・・・表示処理部、    １１４・・・データ受信部、    １１５・・・既設計算機ＯＳ、    １２０・・・既設プロセス入出力盤、    １２１・・・既設プロセス入出力装置（既設ＰＩＯ装置）、    １２２・・・既設ＰＩＯ装置端子台、    １２３・・・既設ＰＩＯ装置アプリケーション、    １２４・・・既設ＰＩＯ装置ＯＳ、    １２５・・・既設ＰＩＯ装置接続部、    １３０・・・既設表示装置、    ２１０・・・新設計算機、    ２１１・・・新設計算機アプリケーション、    ２１２・・・表示処理部、    ２１３・・・比較演算部、    ２１４・・・データ受信部、    ２１５・・・新設計算機ＯＳ、    ２２０・・・新設プロセス入出力盤、    ２２１・・・新設プロセス入出力装置（新設ＰＩＯ装置）、    ２２２・・・新設ＰＩＯ装置端子台、    ２２３・・・新設ＰＩＯ装置アプリケーション、    ２２４・・・新設ＰＩＯ装置ＯＳ、    ２２５・・・新設ＰＩＯ装置接続部、    ２３０・・・新設表示装置、    ３００・・・中継端子盤、    ３０１・・・現場機器信号接続部、    ３０２・・・信号分配部、    ３１１・・・第１のＰＩＯ接続部、    ３１２・・・第１のＰＩＯ接続ケーブル、    ３１２ａ・・・取り合い部、    ３２１・・・第２のＰＩＯ接続部、    ３２２・・・第２のＰＩＯ接続ケーブル、    ４２０・・・仮設プロセス入出力盤、    ４２１・・・仮設プロセス入出力装置（仮設ＰＩＯ装置）、    ４２２・・・仮設ＰＩＯ装置端子台、    ４２３・・・仮設ＰＩＯ装置アプリケーション、    ４２４・・・仮設ＰＩＯ装置ＯＳ、    ４２５・・・仮設ＰＩＯ装置接続部、    ４２６・・・第２のＰＩＯ接続ケーブル、    ５１０・・・計算機、    ５１１・・・計算機アプリケーション、    ５１２・・・表示処理部、    ５１３・・・比較演算部、    ５１４・・・データ受信部、    ５１５・・・計算機ＯＳ、    ５２０・・・本設プロセス入出力盤、    ５２１・・・本設プロセス入出力装置（本設ＰＩＯ装置）、    ５２２・・・ＰＩＯ装置端子台、    ５２３・・・ＰＩＯ装置アプリケーション、    ５２４・・・ＰＩＯ装置ＯＳ、    ５２５・・・ＰＩＯ装置接続部、    ５２６・・・第１のＰＩＯ接続ケーブル    ５３０・・・表示装置
【図１】
2013164656.tif 000003
【図２】
2013164656.tif 000004
【図３】
2013164656.tif 000005
【図４】
2013164656.tif 000006
【図５】
2013164656.tif 000007
【図６】
2013164656.tif 000008
【図７】
2013164656.tif 000009